(57)【特許請求の範囲】
【請求項１】
モールドケースとこれを覆う主カバー内に固定・可動両接点からなる接点部、可動接点の開閉機構、過電流トリップ機構の開閉遮断機構を内蔵し、主カバーに設けられた付属装置取付用の凹所を覆う補助カバーを主カバーにヒンジ部を介して連結した回路遮断器において、
前記ヒンジ部は主カバーに設けた連結軸と、前記補助カバーに設けた前記連結軸を挟む一対の挟持突起からなり、前記一対の挟持突起を前記補助カバーと比べて肉厚に形成し、
前記連結軸の断面の縦方向に面取部を設け、前記一対の挟持突起が当該面取部に沿って圧入装着され、その逆方向に引き抜かれて取り外されることにより、前記補助カバーが前記面取部の方向に着脱されることを特徴とする回路遮断器。
【請求項２】
請求項1記載の回路遮断器において、前記一対の挟持突起の主カバー側の挟持突起を前記補助カバーと比べて肉厚に形成したことを特徴とする回路遮断器。
【請求項３】
請求項1または請求項２記載の回路遮断器において、前記一対の挟持突起の前記主カバー側の突起の根元部分を前記補助カバーと比べて肉厚に形成したことを特徴とする回路遮断器。
【請求項４】
請求項1、請求項２または請求項３記載の回路遮断器において、前記一対の挟持突起は互いに対向しないように前記連結軸の軸方向にずらして前記補助カバーに設けられていることを特徴とする回路遮断器。
【請求項５】
請求項1、請求項２、請求項３または請求項４記載の回路遮断器において、前記一対の挟持突起は前記連結軸の前記面取部以外の外周面曲面に嵌合して挟持する面に凹部が設けられていることを特徴とする回路遮断器。
【発明の詳細な説明】
【技術分野】
【０００１】
本発明は配線用回路遮断器、漏電遮断器等を対象とする回路遮断器に係り、特に警報開閉器、補助開閉器、電圧引外し装置、不足電圧引外し装置などの付属装置の収納部分をカバーする補助カバ−の連結構造に関する。
【背景技術】
【０００２】
配線用回路遮断器は、モールドケースの内部に主回路の固定接点と可動接点を有する接点部、消弧装置、前記可動接点の開閉機構、過電流トリップ機構と共に、付属装置を内臓している。付属装置としては、主回路接点の開閉動作に応じて開路と閉路を電気的に出力する補助スイッチ、回路遮断器のトリップ動作を電気的に出力する警報スイッチ、主回路電圧が低下したとき自動的にトリップ機構を介して前記接点部を開路させる不足電圧引外し装置、遠方より電圧を印加させ電気的に回路遮断器をトリップさせる電圧引外し装置等がある。
【０００３】
この付属装置は、納入済の回路遮断器に顧客の要求に応じて顧客によって自由に取付けられる。特許文献１には、モールドケースの主カバーに付属装置取付用のポケット状の凹部が形成され、この凹部の正面側の開口部が補助カバーによって覆われるものが記載されている。即ち、主カバーに形成された突起と、この突起に補助カバーに設けた係合溝を嵌め合わせてヒンジ部を構成し、このヒンジ部を中心に回転して補助カバーを開閉でき、閉じたときはヒンジ部の他方端が主カバーに形成された穴に弾性結合され、容易に開かないようになっている。
【０００４】
また、特許文献２に記載の回路遮断器は、主カバーにヒンジ挿入穴を設け、補助カバーの端縁にヒンジ部を突設して、このヒンジ部を前記ヒンジ挿入穴に回転自在に挿入した状態で補助カバーを主カバーに開閉可能に取付け、主カバーから補助カバーを外すことなく付属装置の着脱が行える。
【０００５】
【特許文献１】特開２００１−０５０２７３号公報
【特許文献２】特開平０６−１３９９００号公報
【発明の開示】
【発明が解決しようとする課題】
【０００６】
回路遮断器は、回路に大電流や短絡電流が流れると接点が反発して接点間に大きなアークが発生して内部が高温、高圧力となる。従って、ケースと主カバーはこの圧力で破壊されないように強度の高いモールド樹脂から構成される。
【０００７】
前記特許文献１、特許文献２では、主カバーへの補助カバーの取り付けが便利なように、補助カバーの取り付け構造がヒンジ部で構成されている。しかしながら、前記の回路遮断器内部の高温、高圧力に対するヒンジ部の強度について十分に配慮されていない。
【０００８】
本発明は上記の点に鑑みてなされたもので、取り付けが容易でかつ、内部圧力に対する強度を十分に保てるように、補助カバーの取り付け構造を改良した回路遮断器を提供するものである。
【課題を解決するための手段】
【０００９】
上記課題を解決するため本発明は、モールドケースとこれを覆う主カバー内に固定・可動両接点からなる接点部、可動接点の開閉機構、過電流トリップ機構の開閉遮断機構を内蔵し、主カバーに設けられた付属装置取付用の凹所を覆う補助カバーを主カバーにヒンジ部を介して連結した回路遮断器において、前記ヒンジ部は主カバーに設けた連結軸と、前記補助カバーに設けた前記連結軸を挟む一対の挟持突起からなり、前記一対の挟持突起を前記補助カバーと比べて肉厚に形成したことを特徴とする。
【００１０】
前記一対の挟持突起は前記主カバー側の一方の突起を前記補助カバーと比べて肉厚に形成しても良い。また、前記一対の挟持突起の前記主カバー側の一方の突起の根元部分を前記補助カバーと比べて肉厚に形成しても良い。更に、前記一対の挟持突起は互いに対向しないように前記連結軸の軸方向にずらして前記補助カバーに設けられても良い。前記一対の挟持突起は前記連結軸に接する面に凹部が設けられていても良い。
【発明の効果】
【００１１】
本発明よれば、主カバーへの補助カバーの取り付けが容易であって、しかも取付け部分が十分な強度を持ったヒンジ部で構成されるので、回路遮断器内部で発生する高圧力で補助カバーが外れることなく、安全である。
【００１２】
また、補助カバ−のヒンジ部の一対の挟持突起は互いに対向しないように前記連結軸の軸方向にずらして設けられているので、挟持突起を含めた補助カバ−を一体成形で製作する場合、金型の抜き方向が上下方向のみであるため金型が安価で、型開きも容易となって製作工程が短くて済む。
【発明を実施するための最良の形態】
【００１３】
本発明の実施例として、図１〜６を用いて説明する。図１は回路遮断器の断面図、図２は回路遮断器の外観を示す正面図である。図において、１はモールド樹脂からなる外郭ケ−ス、２は外郭ケース１の上面を覆う主カバ−である。ケース１と主カバー２内には、固定・可動両接点からなる接点部、可動接点の開閉機構、過電流トリップ機構などの開閉遮断機構が内蔵される。また、主カバー２には付属装置取付用の凹所（後述）が設けられている。
【００１４】
４は可動接点の開閉機構を操作するハンドルで、下端が前記開閉機構に連結され上端が主カバー２の上面に設けた開口２ａから外に突出して、この開口２ａの範囲で回動可能になっている。
【００１５】
３aは前記付属装置取付用の凹所を覆う補助カバ−で、５は主カバー２に設けられた連結軸である。補助カバー３ａはその一方端が前記連結軸５に回動自在にヒンジ結合され、前記付属装置取付用の凹所を覆った状態で、他方端がねじ６で主カバー２に固定される。
【００１６】
この例では、補助カバ−３ａが主カバー２の幅方向のほぼ全体を覆うように一枚で構成されている。図３の補助カバ−３ｂ、３Ｃは、図２の補助カバー３ａを２分割した形状を有している。また、図４の補助カバー３Ｃは主カバー２の右半分を覆うもので、図３の補助カバーの右半分３Ｃを流用している。
【００１７】
図５は、図２又は図４に示される補助カバー３Ｃの斜視図である。この補助カバー３Ｃの一方端にはねじ６の挿入孔７が開けられており、他方端には挟持突起８、９が一体的に形成されている。挟持突起８は、補助カバー３Ｃの下面側（主カバー２側）に設けられた突起で、補助カバーの厚さより肉厚に形成されている。挟持突起９は、補助カバー３Ｃの上面側（主カバー１と反対側）に設けられた突起で、補助カバー３Ｃの厚さと同等な肉厚に形成されている。挟持突起８の上面には上向きの凹部８ａが形成され、挟持突起９の裏面には下向きの凹部９ａが設けられる。
【００１８】
前述のように挟持突起８は肉厚に形成されるが、図７の断面図で示すように補助カバー３Ｃの板材の厚さＬ１（例えば３ｍｍ）に対して、挟持突起８の先端がＬ３（例えば５ｍｍ）で、根元部分がＬ４（例えば５ｍｍ）の厚さに設定される。また、根元部分３ｅには補強用のリブ３ｄが形成され、このリブ３ｄも含めた根元部分３ｅの高さ方向の厚さがＬ４（例えば１０ｍｍ）に設定される。
【００１９】
なお、前記挟持突起８と９は、互いに対向しないようにずれて配置されている。このずれの方向は挟持突起８と９を連結軸（後述）に圧入したときに連結軸方向となる。この構成によると、補助カバー３Ｃと共に挟持突起８と９を一体で金型で成形するに際し、成形後の金型の抜き方向（型開き方向）が上下方向のみとなり、金型が安価となり型開き作業も容易となって、製品コストの低減に役立つ。
【００２０】
図７に、主カバー２に補助カバー３Ｃを装着するヒンジ部の詳細断面を示す。２ａは主カバー２に設けた付属装置取付用の凹所、５は主カバー２に設けた連結軸である。連結軸５は円形断面を呈し、その両側に縦方向の面取部５ａ（平面）が施されている。前記補助カバー３Ｃは連結軸５に図の矢印方向に縦に装着される。前記挟持突起８と９は、連結軸５の面取部５ａに沿って多少押し広げられながら圧入装着され、連結軸５の面取部５ａを弾性的に挟持する。この状態での補助カバー３Ｃは、矢印と逆方向に引き抜くことにより容易に取り外すことができ、着脱が容易となる。
【００２１】
回路遮断器は、配電盤（図示せず）に固定して使用する際は図６の状態となる。補助カバー３Ｃは、連結軸５を中心にＡの位置からＧの位置まで回転できる。Ａは補助カバー３Ｃを主カバー２に取付けた位置、Ｄは連結軸５に補助カバー３Ｃを着脱する位置、Ｇは付属装置を凹所２ａに取付けるに際して、補助カバー３Ｃを大きく開いて連結軸５に吊り下げた位置を示す。
【００２２】
Ｇ位置以外では補助カバー３Ｃは前記挟持突起８と９で前記連結軸５の面取部５ａ（平面）以外の外周面（曲面）を挟持する。具体的には、挟持突起８と９はその上向きの凹部８ａと下向きの凹部９ａが上記外周面（曲面）に嵌合して挟持し、連結軸５から外れことはない。従って、凹所２ａに付属装置を取付けるに際し、補助カバー３ＣをＧ位置に吊り下げた状態に出来るので作業能率が上がり、補助カバー３Ｃを取違えたり紛失することも無い。
【００２３】
図８に、前記Ａ位置での主カバー２と補助カバー３Ｃのヒンジ部の詳細断面を示す。この状態で回路遮断器は使用されるが、前述したように主回路に大電流や短絡電流が流れると接点が反発し、接点間に大きなアークが発生して内部が高温、高圧力となる。この圧力は補助カバー３Ｃに矢印Ｘ方向に加わり、さらに補助カバー３Ｃの挟持突起８が連結軸５を矢印Ｙ方向に押す。この矢印Ｙ方向の力により、主カバー側の挟持突起８、及び両挟持突起８、９の根元部分にはそれぞれせん断力が加わる。これらの部分の強度が弱いと、せん断力により破断し、補助カバー３Ｃが浮き上がったり飛び出す可能性があり危険である。
【００２４】
本実施例では、せん断力が加わる挟持突起８、及び両挟持突起８、９の根元部分を、それぞれＬ３，Ｌ２の肉厚に構成しているので、ヒンジ部の破断を防止できる。
【図面の簡単な説明】
【００２５】
【図１】本発明の一実施例の回路遮断器の断面図。
【図２】本発明の一実施例の回路遮断器の正面図。
【図３】本発明の他の実施例の回路遮断器の正面図。
【図４】本発明の更に他の実施例の回路遮断器の正面図。
【図５】補助カバ−の斜視図。
【図６】補助カバ−の開閉状態を示す説明図。
【図７】補助カバ−の着脱時のヒンジ部の詳細断面図。
【図８】補助カバ−の装着時のヒンジ部の詳細断面図。
【符号の説明】
【００２６】
１…モールドケ−ス、２…主カバ−、２ａ…付属装置取付用凹所、３ａ、３ｂ、３Ｃ：補助カバ−、３ｅ…挟持突起の根元部、５：連結軸、５、８，９…ヒンジ部、８ａ、９ａ…凹部、８…主カバー側の挟持突起。
【図１】
0004966759.tif 000002
【図２】
0004966759.tif 000003
【図３】
0004966759.tif 000004
【図４】
0004966759.tif 000005
【図５】
0004966759.tif 000006
【図６】
0004966759.tif 000007
【図７】
0004966759.tif 000008
【図８】
0004966759.tif 000009